(57)【要約】【課題】基礎コンクリート上での現場打ちモルタルによる「饅頭」造りをせずして鉄骨柱を所定の高さに建て込むことができ、鉄骨柱が正規位置からずれて建てられた場合でもその修正を短時間で容易に行えるようにする。【解決手段】底面中心部にネジ孔５２を有すると共に上部表面がベースプレート２２の底面に対して点接触する凸面５１とされる定形の耐圧剛性体５と、耐圧剛性体５を基礎コンクリート１に連結するためのネジ部材６とを備える。ネジ部材６を基礎コンクリート１の上部定位置に取り付け、耐圧剛性体５をネジ孔５２とネジ部材６との結合により基礎コンクリート１の上部に昇降可能に連結する。その後、耐圧剛性体５の上にベースプレート２２を載せて鉄骨柱２の建て込みを行う。【選択図】図１
2010281095.tif 000002
【特許請求の範囲】
【請求項１】
下端に鍔状のベースプレートが固設される鉄骨柱を基礎コンクリート上に建て込む際に用いるレベル調整具であって、
前記基礎コンクリートの上部に、ネジ対偶機構を介して昇降可能に連結される定形の耐圧剛性体を含み、その耐圧剛性体の上部表面が前記ベースプレートの底面に対して点接触する凸面とされていることを特徴とする建築基礎構造用レベル調整具。
【請求項２】
前記ネジ対偶機構は、基礎コンクリート上に突出される雄ネジ部材と、その雄ネジ部材に対応して前記耐圧剛性体の底面中心部に穿設されるネジ孔とにより構成されることを特徴とする請求項１記載の建築基礎構造用レベル調整具。
【請求項３】
前記ネジ対偶機構は、基礎コンクリートに埋設される雌ネジ部材と、その雌ネジ部材に対応して前記耐圧剛性体の底面中心部より突出する雄ネジとにより構成されることを特徴とする請求項１記載の建築基礎構造用レベル調整具。
【請求項４】
前記凸面は、球面、回転楕円面、回転放物面、円錐面、又は角錐面である請求項１〜３のいずれか１項に記載の建築基礎構造用レベル調整具。
【請求項５】
底面中心部にネジ孔若しくは雄ネジから成るネジ部を有すると共に上部表面がベースプレートの底面に対して点接触する凸面とされる定形の耐圧剛性体と、その耐圧剛性体を基礎コンクリートに連結するための前記ネジ部に対応するネジ部材とを用い、
前記ベースプレートを下端に備える鉄骨柱を前記基礎コンクリート上に建て込む建築工法であって、
前記ネジ部材を前記基礎コンクリートの上部定位置に取り付けた後、前記耐圧剛性体を前記ネジ部と前記ネジ部材との結合により基礎コンクリートの上部に昇降可能に連結すると共に、その耐圧剛性体の高さ調整を行なってから前記基礎コンクリートと耐圧剛性体との間に硬化性充填剤を充填し、その硬化性充填剤の硬化後に前記耐圧剛性体の上に前記ベースプレートを載せて当該ベースプレートに穿設されているボルト挿入孔に基礎コンクリートより突出するアンカーボルトを挿入し、前記ボルト挿入孔より突出したアンカーボルトにナットを締付けることを特徴とする建築工法。
【発明の詳細な説明】
【技術分野】
【０００１】
本発明は、基礎コンクリート上に鉄骨柱を建て込むとき、その傾きや建込み位置を容易に修正することのできるレベル調整具と、これを用いた建築工法に関する。
【背景技術】
【０００２】
鉄骨造りの建築物において、その骨組みを構成する鉄骨柱は、その下端に固設されるベースプレートを基礎コンクリートより突出されるアンカーボルトに緊結することによって建て込まれるが、基礎コンクリートにはベースプレートの下側となる位置に予め「饅頭」と呼ばれるモルタルが盛り付けられる（例えば、特許文献１）。
【０００３】
尚、特許文献１に記載される「レベルモルタル１２」が「饅頭」と呼ばれるもので、その天端は金鏝で水平に均され、当該「饅頭」上での鉄骨柱の建方完了時にはペースプレートの下端の隙間に無収縮モルタルが詰められる。
【先行技術文献】
【特許文献】
【０００４】
【特許文献１】特許第３３９１４３８号公報
【発明の概要】
【発明が解決しようとする課題】
【０００５】
上記のような「饅頭」によれば、ベースプレートを基礎コンクリート上に水平に据え付け、そのベースプレートに対して直交する鉄骨柱本体を所定の高さで直立状態に建て込むことが可能となるが、所定の間隔で建て込まれる複数の鉄骨柱に対応し、全ての「饅頭」の天端を同一の高さで水平に均す作業は容易でない。
【０００６】
又、全ての「饅頭」の天端の高さ、レベル出しを正確に行うことができても、ベースプレートを緊結するアンカーボルトは正規位置に高精度に定着されているとは限らず、その定着位置が若干ずれている場合も多い。このため、ベースプレートに穿設されるボルト挿入孔は、アンカーボルトより径の大きいルーズホールとされるので、ベースプレートのボルト挿入孔にアンカーボルトを挿入しただけでは鉄骨柱は位置決めされず、その位置ずれを修正することが必要となる。しかし、ベースプレートの底面に対して「饅頭」の天端が全面的に接触しているために、その両者間に作用する摩擦力に抗して鉄骨柱が正規位置に移動させることは至極困難で、その位置決めに多くの時間と労力を費やしてしまっているという実情にある。
【０００７】
本発明は以上のような事情に鑑みて成されたものであり、その目的は基礎コンクリート上での現場打ちモルタルによる「饅頭」造りをせずして鉄骨柱を所定の高さに建て込むことができ、鉄骨柱が正規位置からずれて建てられた場合でもその修正を短時間で容易に行えるようにする事にある。
【課題を解決するための手段】
【０００８】
本発明は上記目的を達成するため、
下端に鍔状のベースプレートが固設される鉄骨柱を基礎コンクリート上に建て込む際に用いるレベル調整具であって、
前記基礎コンクリートの上部に、ネジ対偶機構を介して昇降可能に連結される定形の耐圧剛性体を含み、その耐圧剛性体の上部表面が前記ベースプレートの底面に対して点接触する凸面とされていることを特徴とする建築基礎構造用レベル調整具を提供する。
【０００９】
尚、前記ネジ対偶機構は、基礎コンクリート上に突出される雄ネジ部材と、その雄ネジ部材に対応して前記耐圧剛性体の底面中心部に穿設されるネジ孔とにより構成されるか、あるいは基礎コンクリートに埋設される雌ネジ部材と、その雌ネジ部材に対応して前記耐圧剛性体の底面中心部より突出する雄ネジとにより構成される。更に、前記凸面は、球面、回転楕円面、回転放物面、円錐面、又は角錐面である。
【００１０】
又、本発明は、底面中心部にネジ孔若しくは雄ネジから成るネジ部を有すると共に上部表面がベースプレートの底面に対して点接触する凸面とされる定形の耐圧剛性体と、その耐圧剛性体を基礎コンクリートに連結するための前記ネジ部に対応するネジ部材とを用い、
前記ベースプレートを下端に備える鉄骨柱を前記基礎コンクリート上に建て込む建築工法であって、
前記ネジ部材を前記基礎コンクリートの上部定位置に取り付けた後、前記耐圧剛性体を前記ネジ部と前記ネジ部材との結合により基礎コンクリートの上部に昇降可能に連結すると共に、その耐圧剛性体の高さ調整を行なってから前記基礎コンクリートと耐圧剛性体との間に硬化性充填剤を充填し、その硬化性充填剤の硬化後に前記耐圧剛性体の上に前記ベースプレートを載せて当該ベースプレートに穿設されているボルト挿入孔に基礎コンクリートより突出するアンカーボルトを挿入し、前記ボルト挿入孔より突出したアンカーボルトにナットを締付けることを特徴とする。
【発明の効果】
【００１１】
本発明によれば、基礎コンクリートの上部にネジ対偶機構を介して耐圧剛性体が昇降可能に連結されることから、従来のようにモルタルの現場打ちによる「饅頭」造りをせずして、耐圧剛性体のレベル（高さ）調整を行なうだけで鉄骨柱を所定の高さに建て込むことが可能となる。
【００１２】
又、耐圧剛性体の上部表面がベースプレートの底面に点接触する凸面とされることから、鉄骨柱が正規位置からずれて建てられたり、傾いたりした場合でも、その修正を短時間で容易に修正することができる。
【図面の簡単な説明】
【００１３】
【図１】鉄骨柱の建込み位置を示す斜視分解図
【図２】鉄骨柱の建込み部分を示す部分断面図
【図３】耐圧剛性体を部分的に破断して示した斜視図
【図４】基礎コンクリートにネジ部材を定着する状態を示す説明図
【図５】基礎コンクリートにネジ部材が定着された状態を示す説明図
【図６】耐圧剛性体を装着した状態を示す説明図
【図７】耐圧剛性体の下部に硬化性充填剤を充填した状態を示す説明図
【図８】耐圧剛性体の上にベースプレートを載せた状態を示す説明図
【図９】鉄骨柱の建方完了時の状態を示す説明図
【図１０】レベル調整具の変更例を示す説明図
【発明を実施するための形態】
【００１４】
以下、図面に基づいて本発明の具体例を詳しく説明する。先ず、図１において、１は基礎コンクリートであり、この基礎コンクリート１には後述する鉄骨柱２の建込み位置においてアンカーボルト３が定着されている。アンカーボルト３は、基礎コンクリート１に鉄骨柱２を緊結するためのもので、一本の鉄骨柱２に対して複数本（図示例において８本）が定着され、その各一端（上端）が基礎コンクリート１の上面より突出されている。
【００１５】
一方、鉄骨柱２は、構造用鋼などから形成される柱本体２１と、その下端に固設される鍔状のベースプレート２２とにより構成される。ベースプレート２２の周縁部には、アンカーボルト３に対応するボルト挿入孔２２ａが穿設されており、その各ボルト挿入孔２２ａにアンカーボルト３が挿入可能とされている。特に、ボルト挿入孔２２ａは、その内径がアンカーボルト３の外径よりも大きいルーズホール（長孔の場合もある）とされており、これによってアンカーボルト３の定着位置が正規位置からずれていた場合でも、鉄骨柱２を基礎コンクリート１上の正規位置に建て込むことが可能とされる。
【００１６】
尚、図示例において、柱本体２１は角柱、ベースプレート２２は方形平板とされるが、柱本体２１を円柱とし、ベースプレート２２を円盤状とすることもある。
【００１７】
又、図１において、４は鉄骨柱２を建て込む前にベースプレート２２の下側中心部となる位置において基礎コンクリート１上に予め設置されるレベル調整具である。レベル調整具４は、定形の耐圧剛性体５を主たる構成要素とするもので、この耐圧剛性体５が後述するネジ対偶機構を介して基礎コンクリートの上部に昇降可能に連結されるようになっている。耐圧剛性体５は、鉄その他の硬質金属から形成される塊状構造物であり、その底面は平面状で、上部表面はベースプレート２２の底面に対して点接触する凸面５１とされている。尚、図１に示される耐圧剛性体５は半球形で、その上部表面となる凸面５１が球面（正確には半球面状）とされるが、凸面５１は球面に限らず、回転楕円面、回転放物面、円錐面、又は角錐面であってもよい。
【００１８】
又、図１において、６は上述のネジ対偶機構を構成するネジ部材（図示例において雄ネジ部材）である。本例において、係るネジ部材６は、基礎コンクリート１に定着可能なオールアンカーと呼ばれる市販の中空雄ネジ型アンカーで、その下部は基礎コンクリート１に埋設されるプラグ部６１、上部は雄ネジ部６２とされ、プラグ部６１と雄ネジ部６２との間にはフランジ部６３が形成されている。尚、ｈはアンカーボルト３で囲まれる領域の中心部において基礎コンクリート１に穿設したアンカーホールで、このアンカーホールｈ内にネジ部材６のプラグ部６１が挿入固定されるようになっている。
【００１９】
図２から明らかなように、ネジ部材６のプラグ部６１には割溝６１ａが形成され、その割溝６１ａを広げることによりプラグ部６１の外周部をアンカーホールｈの内壁に圧着可能とされている。尚、割溝６１ａを広げてネジ部材６を基礎コンクリート１に定着する作業工程は後述する。
【００２０】
一方、図２および図３から明らかなように、耐圧剛性体５の底面中心部には、基礎コンクリート１より突出するネジ部材６（雄ネジ部６２）に対応するネジ孔５２（凸面５１まで貫通させてもよい）が穿設されている。しかして、耐圧剛性体５は、ネジ部材６の雄ネジ部６２とネジ孔５２との結合により基礎コンクリート１に連結されるのであり、このため耐圧剛性体５の回転量に応じてその高さ（凸面５１の頂点高さ）を調整することができる。尚、図２において、５ａは耐圧剛性体５に穿設した上下方向に貫通する注入孔、１１は注入孔５ａを通じて耐圧剛性体５の底面と基礎コンクリート１との間に充填される無収縮モルタルなどから成る硬化性充填剤であり、これは耐圧剛性体５の底面に全面的に接触して鉄骨柱２から耐圧剛性体５に作用する鉛直荷重を支える働きをする。又、１２も硬化性充填剤であり、これは鉄骨柱２の建方完了時においてベースプレート２２の下部全域に充填される。
【００２１】
次に、上記のようなレベル調整具４を用いて基礎コンクリート１上に鉄骨柱２を建て込む建築工法について説明する。
【００２２】
先ず、図４に示すように、常法によってアンカーボルト３が突出する基礎コンクリート１を構築したら、その上面部（上記のようにアンカーボルト３で囲まれる領域の中心部）にコンクリートドリルによりアンカーホールｈを穿設し、そのアンカーホールｈにネジ部材６の下部（プラグ部６１）を挿入する。
【００２３】
続いて、図５のように、ネジ部材６に対して付属のピン６４を差し込み、その上端をハンマーで叩き付ける。すると、割溝６１ａがピン６４により押し広げられ、これによってプラグ部６１の外周部がアンカーホールｈの内壁に圧着するために、ネジ部材６が基礎コンクリート１に対して強固に固着される。
【００２４】
しかして、図６のようにネジ部材６（雄ネジ部６２）とネジ孔５２とを結合して耐圧剛性体５を基礎コンクリート１上に昇降可能に連結するほか、所定の間隔で配される耐圧剛性体５（図には一つのみ示される）のそれぞれについて、レーザレベルなどの水準測量機を用いてそのレベル（高さ）を調整する。そして、全ての耐圧剛性体５を同一高さに設定したら、各耐圧剛性体５を図示せぬ型枠で囲い、注入孔５ａを通じて耐圧剛性体５の底面側に図７のように硬化性充填剤１１（無収縮モルタル）を充填するのであり、その硬化によって耐圧剛性体５が一定の高さで基礎コンクリート１に固定されることになる。
【００２５】
そこで、クレーンなどを用いて図８のように耐圧剛性体５上に鉄骨柱２を移送し、ベースプレート２２のボルト挿入孔２２ａにアンカーボルト３を挿入させながら、耐圧剛性体５上にベースプレート５を着座せしめ、しかしてボルト挿入孔２２ａより突出したアンカーボルト３にナット７を仮止めする。
【００２６】
このとき、耐圧剛性体５の凸面５１とベースプレート２２の底面の接触が点接触となるために、鉄骨柱２が正規位置から前後左右方向に数ｍｍ程度ずれていても、鉄骨柱２の下部をハンマーで打撃したりバールで抉ったりするなどして、その位置ずれを容易に修正することができる。又、図８の一点鎖線で示すように、鉄骨柱２に傾きが生じていても、アンカーボルト３の各先端に仮止めされたナット７の締め付け量を加減することにより、その傾きも容易に修正することができる。
【００２７】
しかして、耐圧剛性体５上の正規位置に鉄骨柱２を直立状態に建て込んだら、全てのナット７を強固に締付けるのであり、これによって鉄骨柱２の建方を完了する。尚、鉄骨柱２の建方完了時には、ベースプレート２２を図示せぬ型枠で囲み、図９のようにベースプレート２２の下部に硬化性充填剤１２（無収縮モルタル）を充填する。ここに、硬化性充填剤１２はベースプレート２２と型枠との間から充填されるが、耐圧剛性体５と同じくベースプレート２２にも硬化性充填剤２２を充填するための注入孔を穿設することが好ましい。
【００２８】
以上、本発明の好適な一例を説明したが、本発明に係るレベル調整具は上記のような態様に限らず、図１０のようなネジ対偶機構をもつ構成としてもよい。
【００２９】
図１０(ａ)は、耐圧剛性体５の底面中心部より雄ネジ５３を一体的に突出させ、これに対応するネジ部材８（雌ネジ部材）としてグリップアンカーと呼ばれるアンカースクリュー（ナット部材）を用いた例である。尚、係るネジ部材８は、基礎コンクリート１に穿設されるアンカーホールｈを通じて当該基礎コンクリート１に埋設されるもので、その下端にはテーパ状の脚８１が付けられている。そして、ネジ部材８をアンカーホールｈに差し込み、その上端をハンマーなどで打撃することにより、テーパ状の脚８１により割溝８ａが押し広げられ、これによって基礎コンクリート１に対してネジ部材８が定着される構成となっている。
【００３０】
又、図１０(ｂ)は、雄ネジ５３を耐圧剛性体５と別体とした例で、耐圧剛性体５には雄ネジ５３を接続するためのネジ孔５２が穿設され、その雄ネジ５３は基礎コンクリート１に埋設されるネジ部材８に結合する。
【符号の説明】
【００３１】
１  基礎コンクリート
１１  硬化性充填剤（無収縮モルタル）
１２  硬化性充填剤（無収縮モルタル）
２  鉄骨柱
２２  ベースプレート
２２ａ  ボルト挿入孔
３  アンカーボルト
４  レベル調整具
５  耐圧剛性体
５１  凸面
５２  ネジ部（ネジ孔）
５３  ネジ部（雄ネジ）
６  ネジ部材（雄ネジ部材）
７  ナット
８  ネジ部材（雌ネジ部材）
【図１】
2010281095.tif 000003
【図２】
2010281095.tif 000004
【図３】
2010281095.tif 000005
【図４】
2010281095.tif 000006
【図５】
2010281095.tif 000007
【図６】
2010281095.tif 000008
【図７】
2010281095.tif 000009
【図８】
2010281095.tif 000010
【図９】
2010281095.tif 000011
【図１０】
2010281095.tif 000012